(57)【特許請求の範囲】
【請求項１】
床パンの端部にドア受け部材を固定し、巾方向に複数列に戸を取付けるドア枠の下枠の巾方向の略片側半部をドア受け部材の上に載設して固定すると共に、ドア受け部材と下枠との間に補強板の一端部を挟持し、該補強板に下枠のドア受け部材よりも浴室と反対側に突出した部分の下部を当接支持してねじ具により固着して成ることを特徴とする浴室のドア枠取付け部の構造。
【請求項２】
下枠の浴室側の端部を角筒状に形成し、この下枠の浴室側端部の上面部を凹溝とし、凹溝の巾方向の両側に係止片を設け、凹溝の溝底に孔を形成し、該孔から挿入したねじ具を角筒状の底面部からドア受け部材に螺入して下枠をドア受け部材に固着し、凹溝の溝底の孔にキャップを嵌め込み、下枠カバーの下面側に係止脚を設けると共に下枠カバーの下面にクッション性を有する水密材を取着し、係止脚を係止片に着脱自在に係止して下枠カバーにより凹溝の上開口を遮蔽し、水密材を凹溝の溝底及びキャップの上面に圧接して成ることを特徴とする請求項１記載の浴室のドア枠取付け部の構造。
【請求項３】
凹溝の上端部を下枠の他の部分の上面よりも下方に位置させ、下枠が配設される部分に対応した床パンの端部に床パンの他の部分の上面よりも下方に段落した段部を形成し、下枠カバーを凹溝の上開口に取付けた状態で、下枠カバーの側縁部から外側方に延出した延出片を段部に載置し、下枠カバーの上面と床パンの上面と下枠の凹溝を設けた部分以外の部分の上面とを略面一として成ることを特徴とする請求項２記載の浴室のドア枠取付け部の構造。
【請求項４】
下枠カバーの側縁部から外側方に延出した延出片を段部に載置し、延出片の縁と段部とのなす境界部分にシール材を施して成ることを特徴とする請求項３記載の浴室のドア枠取付け部の構造。
【発明の詳細な説明】
【０００１】
【発明の属する技術分野】
本発明は、浴室のドア枠取付け部の構造に関するものである。
【０００２】
【従来の技術】
従来、浴室のドア枠を取付けるに当たっては、床パンの端部にドア受け部材を固定し、このドア受け部材にドア枠の下枠を載設して固定するようにしている。
【０００３】
ところが、浴室のドア枠には一枚の回動戸を回動自在に取付けるようにしたもの、あるいは、２つ折り戸を開閉自在に取付けるようにしたもの、あるいは、２枚引き戸を取付けるようにしたもの、あるいは、３枚引き戸を取付けるようにしたもの、あるいは、２枚引き戸と一枚のはめ殺しの固定戸とを並設したもの等種々の形態のものがある。そして、一枚の回動戸を回動自在に取付けるようにしたもの、あるいは、２つ折り戸を開閉自在に取付けるようにしたものは閉じた状態で巾方向においては１列の戸であるためドア枠の巾は狭いが、２枚引き戸を取付けるようにしたもの、あるいは、３枚引き戸を取付けるようにしたもの、あるいは、２枚引き戸と一枚のはめ殺しの固定戸とを並設したもの等は巾方向において戸が２列又は３列となるためドア枠の巾は広くなる。
【０００４】
このため、ドア受け部材としては巾の狭いドア枠を支持するための巾の狭いものと、巾の広いドア枠を支持するための巾の広いものとを数種類用意する必要があり、コストアップの原因となっていた。
【０００５】
また、ドア受け部材にドア枠の下枠をねじ具により固着するのであるが、ねじ具の固着部分から水が浸入するという問題があり、ドア受け部材に下枠を固着する部分における防水性をどのようにして確保するかということが問題となっている。特に、近年ドア枠の下枠と床パンとを略面一にしてバリアフリーとすることが望まれているが、このようなバリアフリー化するに当たって、上記下枠の取付け部分における防水を確保する技術の開発が強く望まれている。
【０００６】
【発明が解決しようとする課題】
本発明は上記の点に鑑みてなされたものであり、本発明の目的とするところは、巾の狭いドア枠を支持するのに使用するドア受け部材を利用して巾の狭いドア枠を安定して支持することができ、また、ドア枠の下枠のドア受け部材への固定部分における防水を確実に行い、更に、浴室のドア枠の下枠と浴室の床パンとの段差を無くしてバリアフリーとすると共に下枠の取付け部分の防水を確保することができる浴室のドア枠取付け部の構造を提供するにある。
【０００７】
【課題を解決するための手段】
上記課題を解決するために本発明に係る浴室のドア枠取付け構造は、床パン３の端部にドア受け部材５を固定し、巾方向に複数列に戸３５を取付けるドア枠６の下枠９の巾方向の略片側半部をドア受け部材５の上に載設して固定すると共に、ドア受け部材５と下枠９との間に補強板５０の一端部を挟持し、該補強板５０に下枠９のドア受け部材５よりも浴室と反対側に突出した部分の下部を当接支持してねじ具２４により固着して成ることを特徴とするものである。このように補強板５０を用いることで、ドア受け部材５としてドア枠６の巾方向に１列の戸を設ける巾の狭いドア枠６の下枠９を支持するためのものを使用しても巾方向に複数列に戸３５を取付ける巾の広いドア枠６の下枠９を確実に支持して取付けることができるものである。
【０００８】
また、下枠９の浴室側の端部を角筒状に形成し、この下枠９の浴室側端部１０の上面部を凹溝１０ａとし、凹溝１０ａの巾方向の両側に係止片１０ｂを設け、凹溝１０ａの溝底に孔１０ｃを形成し、該孔１０ｃから挿入したねじ具２４を角筒状の底面部からドア受け部材５に螺入して下枠９をドア受け部材５に固着し、凹溝１０ａの溝底の孔１０ｃにキャップ３６を嵌め込み、下枠カバー３２の下面側に係止脚３２ｂを設けると共に下枠カバー３２の下面にクッション性を有する水密材３３を取着し、係止脚３２ｂを係止片１０ｂに着脱自在に係止して下枠カバー３２により凹溝１０ａの上開口を遮蔽し、水密材３３を凹溝１０ａの溝底及びキャップ３６の上面に圧接することが好ましい。このような構成とすることで、下枠９をねじ具２４によりドア受け部材５に固着する部分に水が浸入しないようにキャップ３６、水密材３３、下枠カバー３２により多段階で防水できるものであり、また、下枠カバー３２、水密材３３により凹溝１０ａ内への水の浸入が防止できるものである。また、下枠カバー３２により凹溝１０ａを覆って外観を良くするとともに凹溝１０ａによる段差を無くすことができるものである。
【０００９】
また、凹溝１０ａの上端部を下枠９の他の部分の上面よりも下方に位置させ、下枠９が配設される部分に対応した床パン３の端部に床パン３の他の部分の上面よりも下方に段落した段部３７を形成し、下枠カバー３２を凹溝１０ａの上開口に取付けた状態で、下枠カバー３２の側縁部から外側方に延出した延出片３２ｃを段部に載置し、下枠カバー３２の上面と床パン３の上面と下枠９の凹溝１０ａを設けた部分以外の部分の上面とを略面一とすることが好ましい。このような構成とすることで、床パン３と下枠カバー３２と下枠９とを面一としたバリアフリーの構成とできるものである。
【００１０】
また、下枠カバー３２の側縁部から外側方に延出した延出片３２ｃを段部に載置し、延出片３２ｃの縁と段部３７とのなす境界部分にシール材３４を施すことが好ましい。このような構成とすることで、下枠カバー３２と床パン３との境界部分から水が浸入しないようにできて、下枠９の取付け部分の防水を図ることができるものである。
【００１１】
【発明の実施の形態】
以下、本発明を添付図面に示す実施形態に基づいて説明する。
【００１２】
浴室の床を構成するための床パン３は床板部１の外端部に周方向にわたって壁パネル載置用の立ち上がり部２が上方に向けて一体に突設してある。立ち上がり部２の上端部はパネル載置片と水切り片とよりなるＬ状部２ａが設けてあり、立ち上がり部２の上部の背面側には嵌め込み凹所１７が設けてある。また、床パン３の床板部１の立ち上がり部２の突出基部付近には排水溝１８が凹設してある。更に、床パン３の床板部１の下面部には平面視で排水溝１８位置よりもやや内側に引き込んだ位置に外周に沿って垂下リブ１９が床板部１と一体に形成してある。
【００１３】
上記のような構成の床パン３の外周端部の立ち上がり部２の上端部のパネル載置片２ａ上に浴室の壁となる壁パネルを載設するのであるが、この床パン３の外周端部の一部には壁パネルに代えてドア枠６が配設される。床パン３の外端部のドア枠６の配設位置には現場におけるドア枠６の配置位置に対応した位置に切欠部４が設けてある。この切欠部４は床パン３の外端部の一部を立ち上がり部２から床板部１の端部よりやや引き込んだ位置まで除去することで形成される。
【００１４】
ここで、床パン３の床板部１の端縁部には立ち上がり部２に沿って排水溝１８が形成されるが、上記のように切欠部４を形成した場合、切欠部４は排水溝１８においては排水溝１８の巾方向の略中間部分まで到るように切り込んで形成するものであり、これにより床板部１の外端部と立ち上がり部２の下端部とのなす弧状をしたコーナ部を越えて切欠部４を形成してある。
【００１５】
切欠部４にはドア受け部材５が配置されて床パン３に固定されるものである。ドア受け部材５は横向きの受け片５ａの巾方向の一端部に下方に向けて固定垂下片５ｂを垂設し、固定垂下片５ｂの上端部から上方に上縦片５ｃを突設し、更に上縦片５ｃの上端から受け片５ａに対向する上横片５ｄを突設し、上横片５ｃと受け片５ａとを縦片５ｆにより一体に連設してある。また、受け片５ａの巾方向の他端部に上方に向けて立ち上がり片５ｅが突設してあり、立ち上がり片５ｅと縦片５ｆとの間が嵌め込み用凹部２０となっている。
【００１６】
ドア受け部材５の長手方向の両端部には端部ブロック１６が任意の取付け手段で取付けてある。
【００１７】
上記の構成の長手方向の両端部に端部ブロック１６を有するドア受け部材５を切欠部４に配置し、両端部の端部ブロック１６を切欠部４の両側の立ち上がり部２の裏面に沿わせて端部ブロック１６に設けた嵌め込み部２１を立ち上がり部２の背面側の嵌め込み凹所１７にはめ込んだ状態で、ドア受け部材５の固定垂下片５ｂを床板部１の裏面側に突設した垂下リブ１９に固着手段であるねじ具２４により固着すると共に、嵌め込み凹所１７の側壁部と端部ブロック１６の嵌め込み部２１とをねじ具２４により固着するものである。この際、図１に示すように略Ｚ字状とした補強材４０の一片の上端部を受け片５ａの下面に当接した状態で補強材４０の他片をねじ具２４により固定垂下片５ｂと共に垂下リブ１９に固着し、これによりドア受け部材５の補強をおこなっている。
【００１８】
また、図１に示すように、垂下リブ１９と立ち上がり片５ｅとの間、床板部１の下面と上横片５ｄとの間にそれぞれ防水パッキン２５を介在させてこの部分からの水漏れを防止している。また、切欠部４の縁部分に沿って該切欠部４の縁部とドア受け部材５及び端部ブロック１６との接続境界をシリコンのようなシール材によりシールし、更に、床パン３の背面側において端部ブロック１６との接続境界や床パン３の背面側においてドア受け部材５との接続境界を裏面側シール材によりシールし、このように、複数箇所の防水パッキン２５、シール材、裏面側シール材により切欠部４に配設するドア受け部材５の取付け部分における防水を多段階で行って、確実な防水を図っている。
【００１９】
ドア枠６は左右両縦枠７の上端部間及び下端部間に上枠（図示せず）及び下枠９を架設して構成してある。図１に示すドア枠６は複数列に戸３５を取付ける巾（平面視において下枠９の長手方向と直交する方向の巾）が広いもので、図１に示す具体例としては２枚引き戸３５ａと一枚のはめ殺しの固定戸３５ｂとを並設したものである。他に複数列に戸３５を取付ける巾広のドア枠６の例としては２枚引き戸を取付けドア枠６や３枚引き戸を取付けるようにしたドア枠６等がある。ドア枠６の下枠９の下面部には下方突出部３０が設けてある。また、下枠９の浴室側端部１０を縦枠７の浴室側の端部よりも浴室側に突出させある。この浴室側端部１０は横向きの角筒状に形成してあり、この横向き角筒状の浴室側端部１０は上記下方突出部３０一部を構成している。横向き筒状をした浴室側端部１０は上面部は凹溝１０ａとなっており、凹溝１０ａの巾方向の上面部両側には係止片１０ｂが設けてある。
【００２０】
ドア枠６は下枠９を床パン３の切欠部４に配置して下枠９の下方突出部３０をドア受け部材５の嵌め込み用凹部２０に嵌め込んで載置し、この状態で凹溝１０ａの溝底部に設けた孔１０ｃからねじ具２４を挿入してねじ具２４を横向き筒状の浴室側端部１０の底面部からドア受け部材５に螺入させて固着してある。
【００２１】
ここで、下枠９の下面には発泡合成樹脂パッキン等のパッキン８が設けられ、パッキン８が下枠９とドア受け部材５の受け片５ａとの間に挟持されて下枠９のドア受け部材５の受け片５ａとの間の水密性を確保するようになっている。また、縦枠７の外面にもパッキン８を設けて縦枠７の外面側における取付け部分の水密性を確保するようにしてもよい。
【００２２】
上記のようにドア受け部材５に下枠９を載置してねじ具２４により固着する際、ドア受け部材５の立ち上がり片５ｅと下枠９との間に略Ｚ字状をした補強板５０の一端部５０ａを挟んだ状態でねじ具２４を締め付けることで補強板５０の一端部５０ａをドア受け部材５と下枠９との間に強固に挟持してドア受け部材５と補強板５０と下枠９とが一体に固着された状態と同様の状態とする。この補強板５０に下枠９のドア受け部材５よりも浴室と反対側に突出した部分の下部を当接支持してねじ具２４により固着するものであり、これにより巾広のドア枠６の下枠９の巾方向の浴室側と反対側の端部を補強板５０で支持する。すなわち、ドア受け部材５と下枠９との間に補強板５０の一端部を挟んだ状態でねじ具２４を締め付けて補強板５０の一端部５０ａをドア受け部材５と下枠９との間に強固に挟持してドア受け部材５と補強板５０と下枠９とが一体に固着された状態と同様の状態としているので、ドア受け部材５と下枠９のドア受け部材５に直接載置して固着一体化された部分に一端部を一体に取付けられた状態となっている補強板５０により下枠９のドア受け部材５に直接載置していない部分である下枠９の巾方向の浴室側と反対側の端部を支持することができるものであり、この場合、補強板５０の一端部は挟持することで一体に取付けることができるので施工性が向上するものである。
【００２３】
下枠９をドア受け部材５に固着する際にねじ具２４を挿入するのに利用した孔１０ｃには弾性を有するゴムのようなキャップ３６を着脱自在に取付けて水が浸入しないようにしている。
【００２４】
浴室側端部１０の凹溝１０ａの上開口部には下枠カバー３２を着脱自在に取付けて凹溝１４ａを水密的に閉塞してある。下枠カバー３２は細長いカバー板部３２ａの下面部に一対の係止脚３２ｂを設けて構成してあり、カバー板部３２ａの裏面の一対の係止脚３２ｂ間にはクッション性を有する水密材３３が取着してある。この下枠カバー３２は係止脚３２ｂを係止片１０ｂに係止することで取付けてあり、この場合、水密材３３が凹溝１０ａの底面部に圧接し（キャップ３６部分にも圧接し）て凹溝１０ａ内に水が入らないようになっており、また、下枠カバー３２の浴室側の端縁部に設けた延出片３２ｃは切欠部４の排水溝１８部分の上面部（つまり、この部分が床パン３の上面から一段低くなった段部３７を構成している）に載置され、下枠カバー３２の端縁部に設けた延出片３２ｃと段部３７である排水溝１８との境界部分がシール材３４によりシールされる。このようにすることで、孔１０ｃ部分を有する凹溝１０ａ部分に多段の防水手段により水が入らないように構成してある。下枠カバー３２の上面は取付けた状態で上面は床パン３の床板部１の上面、下枠９の上面と面一となるようになっている。
【００２５】
また、図中４１は脱衣室の床であり、下枠９の上面は床４１とほぼ面一となっている。
【００２６】
ところで、ドア枠６として一枚の回動戸を回動自在に取付けるようにしたもの、あるいは、２つ折り戸を開閉自在に取付けるようにしたもののように閉じた状態で巾方向においては１列しか戸がないものは上記の巾方向に複数列の戸を取付けるドア枠６に比べて巾が狭いが、この１列しか戸を取付けない巾狭のドア枠６を床パン３に取付ける場合は、図５に示すように、前述と同様にして床パン３に取付けたドア受け部材５にドア枠６の下枠９を載置してねじ具２４により取付けるものであり、この場合にはドア枠６の巾が狭いので補強板５０は使用しなくても安定して支持できる。
【００２７】
このように、本発明においては、補強板５０を使用するか、しないかを選択するのみで、巾の広いドア枠６を支持するためのドア受け部材５と、巾の狭いドア枠６を支持するためのドア受け部材５とを共通のドア受け部材５により兼用することができるものである。
【００２８】
【発明の効果】
上記のように本発明の請求項１記載の発明にあっては、床パンの端部にドア受け部材を固定し、巾方向に複数列に戸を取付けるドア枠の下枠の巾方向の略片側半部をドア受け部材の上に載設して固定すると共に、ドア受け部材と下枠との間に補強板の一端部を挟持し、該補強板に下枠のドア受け部材よりも浴室と反対側に突出した部分の下部を当接支持してねじ具により固着してあるので、補強板を用いることで、ドア受け部材としてドア枠の巾方向に１列の戸を設ける巾の狭いドア枠の下枠を支持するためのものを使用しても巾方向に複数列に戸を取付ける巾の広いドア枠の下枠を確実に支持して取付けることができるものであり、この結果、巾の狭いドア枠の場合には補強板を使用しないことで対応でき、補強板を使用するかしないかを選択することで巾の異なるドア枠に対応できるものであり、補強板を使用する際には下枠をドア受け部材と下枠との間に補強板の一端部を挟持するので、現場施工が容易に行えるものである。
【００２９】
また、請求項２記載の発明にあっては、上記請求項１記載の発明の効果に加えて、下枠の浴室側の端部を角筒状に形成し、この下枠の浴室側端部の上面部を凹溝とし、凹溝の巾方向の両側に係止片を設け、凹溝の溝底に孔を形成し、該孔から挿入したねじ具を角筒状の底面部からドア受け部材に螺入して下枠をドア受け部材に固着し、凹溝の溝底の孔にキャップを嵌め込み、下枠カバーの下面側に係止脚を設けると共に下枠カバーの下面にクッション性を有する水密材を取着し、係止脚を係止片に着脱自在に係止して下枠カバーにより凹溝の上開口を遮蔽し、水密材を凹溝の溝底及びキャップの上面に圧接してあるので、下枠をねじ具によりドア受け部材に固着する部分に水が浸入しないようにキャップ、水密材、下枠カバーにより多段階で防水でき、また、下枠カバー、水密材により凹溝内への水の浸入が防止でき、下枠の取付け部分における防水を多段階で確実に行えるものであり、また、下枠カバーにより凹溝を覆って外観を良くするとともに凹溝による段差を無くすことができて歩行性を向上できるものである。
【００３０】
また、請求項３記載の発明にあっては、上記請求項２記載の発明の効果に加えて、凹溝の上端部を下枠の他の部分の上面よりも下方に位置させ、下枠が配設される部分に対応した床パンの端部に床パンの他の部分の上面よりも下方に段落した段部を形成し、下枠カバーを凹溝の上開口に取付けた状態で、下枠カバーの側縁部から外側方に延出した延出片を段部に載置し、下枠カバーの上面と床パンの上面と下枠の凹溝を設けた部分以外の部分の上面とを略面一としてあるので、床パンと下枠カバーと下枠とを面一としたバリアフリーの構成にできて、浴室への出入りがスムーズに行えるものである。
【００３１】
また、請求項４記載の発明にあっては、上記請求項３記載の発明の効果に加えて、下枠カバーの側縁部から外側方に延出した延出片を段部に載置し、延出片の縁と段部とのなす境界部分にシール材を施してあるので、下枠カバーと床パンとの境界部分から水が浸入しないようにできて、下枠の取付け部分の防水を図ることができるものである。
【図面の簡単な説明】
【図１】本発明の巾広のドア枠をドア受け部材に補強板を使用して取付けた状態の断面図である。
【図２】同上の補強板の取付けを示す下面図である。
【図３】同上のドア枠の取付けを示す分解斜視図である。
【図４】同上のドア枠の取付けを示す斜視図である。
【図５】同上の巾狭のドア枠をドア受け部材に補強板を使用しないで取付けた状態の断面図である。
【符号の説明】
３  床パン
５  ドア受け部材
６  ドア枠
９  下枠
１０  浴室側端部
１０ａ  凹溝
１０ｂ  係止片
１０ｃ  孔
２４  ねじ具
３２  下枠カバー
３２ｂ  係止脚
３３  水密材
３５  戸
３６  キャップ
５０  補強板
【図１】
0003627709.tif 000002
【図２】
0003627709.tif 000003
【図３】
0003627709.tif 000004
【図４】
0003627709.tif 000005
【図５】
0003627709.tif 000006